(57)【要約】 【課題】本発明においては、ショッピングバスケット内において容易に重い商品および硬い商品と、軽い商品および柔らかい商品とを分別することが可能な、ショッピングバスケット用セパレーターを提供することを目的とする。【解決手段】ショッピングバスケットの収納部より浅い深さを有する載置部と、前記ショッピングバスケットの開口端に引っ掛けることで前記載置部を前記収納部内に保持するための掛止部とを備え、前記載置部の底部の一部には、開口部が形成されており、前記開口部には、下方から押し上げられることで前記開口部を開放可能な可動式蓋部が設けられていることを特徴とするショッピングバスケット用セパレーター。【選択図】  図１
2018144859.tif 000002
【特許請求の範囲】
【請求項１】
ショッピングバスケットの収納部よりも浅い深さを有する載置部と、
前記ショッピングバスケットの開口端に引っ掛けることで前記載置部を前記収納部内に保持するための掛止部とを備え、
前記載置部の底部の一部には、開口部が形成されており、
前記開口部には、下方から押し上げられることで前記開口部を開放可能な可動式蓋部が設けられていることを特徴とするショッピングバスケット用セパレーター。
【請求項２】
ショッピングバスケットの収納部よりも浅い深さを有する載置部と、
前記ショッピングバスケットの開口端に引っ掛けることで前記載置部を前記収納部内に保持するための掛止部とを備え、
前記載置部の底部は、固定式底部およびスライド式底部から構成されており、
前記スライド式底部が、前記固定式底部の下面に収納可能に形成されていることを特徴とするショッピングバスケット用セパレーター。
【発明の詳細な説明】
【技術分野】
【０００１】
この発明は、ショッピングバスケットに付帯する仕切り用器具に関する。
【背景技術】
【０００２】
従来のショッピングバスケットは、図３に示すように、天井が開口した箱状の形状を有し、開口部に２つの把持部材が設けられている。そして、当該ショッピングバスケットは、購買者が売り場内において、購入を希望する商品を内部に収納して精算所まで移動させるために用いられる。
【先行技術文献】
【特許文献】
【０００３】
【特許文献１】特開２００９−２０８８４３号公報
【発明の概要】
【発明が解決しようとする課題】
【０００４】
ここで、一般的なスーパーマーケットには、様々な重さや硬さを有する商品が売られており、売り場の配置によっては、重い商品、軽い商品、硬い商品、柔らかい商品を順不同にショッピングバスケットに収納することとなる。
【０００５】
このため、購買者は商品をショッピングバスケットに収納する際、軽い商品や柔らかい商品の品質や形状が損なわれないように、重い商品や硬い商品を下方に収納し、軽い商品や柔らかい商品を上方に収納して精算所まで運ぶべく、売り場が変わる度にこれらの商品を出し入れしてショッピングバスケット内を整理する必要がある。
【０００６】
そして、精算所に持ち込まれた商品は、ショッピングバスケットの上方に収納されているものから順に精算されていくが、この際にも同様に、精算済みバスケット内において、軽い商品や柔らかい商品の品質や形状が損なわれないように収納するべく、精算済みの軽い商品や柔らかい商品を一旦別の場所に１つ１つ仮置きし、精算済みの重い商品や硬い商品を精算済みバスケット内の下方に収納した後に、その上に、精算済みの軽い商品や柔らかい商品を１つ１つ乗せて収納するという非効率的な作業が発生する。
【０００７】
さらには、商品の精算が完了した後においてもこのような非効率的な作業が発生する可能性があり、購買者が精算済みバスケットから精算済み商品をポリ袋に収納する場合には、精算時と同様に、軽い商品や柔らかい商品を一旦別の場所に１つ１つ取り出して仮置きし、ポリ袋内に重い商品や硬い商品を収納した後に、その上に軽い商品や柔らかい商品を収納するという作業を要する。
【０００８】
特許文献１には、このようにショッピングバスケット内の分別整理に要する時間を短縮するべく、ショッピングバスケットの側面にスリットを設けて、当該スリットに仕切り板を固定することで、ショッピングバスケット内を上下段に仕切ることが可能なショッピングバスケットが記載されている。
【０００９】
しかし、特許文献１に記載のショッピングバスケットは、仕切り板によって収納部を上下段に分けることで商品の重さや硬さに応じた分別整理が容易であるものの、一旦仕切り板を嵌め込んでしまうと、下段に収納した商品を取り出すことが困難になるという課題を有したいた。
【００１０】
そこで、本発明においては、ショッピングバスケット内において容易に重い商品および硬い商品と、軽い商品および柔らかい商品とを分別することが可能であり、かつ、分別した商品をいつでも容易に出し入れすることが可能なショッピングバスケット用セパレーターを提供することを目的とする。
【課題を解決するための手段】
【００１１】
本発明の第１の態様のショッピングバスケット用セパレーターは、ショッピングバスケットの収納部よりも浅い深さを有する載置部と、前記ショッピングバスケットの開口端に引っ掛けることで前記載置部を前記収納部内に保持するための掛止部とを備え、前記載置部の底部の一部には、開口部が形成されており、前記開口部には、下方から押し上げられることで前記開口部を開放可能な可動式蓋部が設けられていることを特徴とする。
【００１２】
このような、本発明の第１の態様のショッピングバスケット用セパレーターによれば、収納部を上下段に仕切って商品を容易に分別整理することができるとともに、可動式蓋部を回動させて開口部を開閉させることにより、下の収納部に商品を容易に出し入れすることが可能であり、さらに、可動式蓋部を商品で押し上げることによって、長さや高さのある商品を立てたままでショッピングバスケット内に収納することを可能とする。
【００１３】
本発明の第２の態様のショッピングバスケット用セパレーターは、ショッピングバスケットの収納部よりも浅い深さを有する載置部と、前記ショッピングバスケットの開口端に引っ掛けることで前記載置部を前記収納部内に保持するための掛止部とを備え、前記載置部の底部は、固定式底部およびスライド式底部から構成されており、前記スライド式底部が、前記固定式底部の下面に収納可能に形成されていることを特徴とする。
【００１４】
このような、本発明の第２の態様のショッピングバスケット用セパレーターによれば、スライド式底部を固定式底部の下面から移動させることで底部の広さを調整することができるので、軽い商品や柔らかい商品の量に応じて、ショッピングバスケット用セパレーターの載置部の広さを調整することを可能とする。
【発明の効果】
【００１５】
本発明のショッピングバスケット用セパレーターによれば、ショッピングバスケット内において容易に重い商品および硬い商品と、軽い商品および柔らかい商品とを分別することが可能であり、かつ、分別した商品をいつでも容易に出し入れすることが可能なショッピングバスケット用セパレーターを提供することができる。
【図面の簡単な説明】
【００１６】
【図１】本発明のショッピングバスケット用セパレーターの第１実施形態であり、（ａ）は斜視図、（ｂ）は（ａ）に示すＡ−Ａ断面図である。
【図２】本発明のショッピングバスケット用セパレーターの第２実施形態を示す斜視図であり、（ａ）は１枚のスライド板を有する場合、（ｂ）は複数枚のスライド板を有する場合である。
【図３】一般的なショッピングバスケットを示す図である。
【発明を実施するための形態】
【００１７】
本発明のショッピングバスケット用セパレータの具体的な実施形態を以下に図１および図２を用いて説明する。
【００１８】
本発明のショッピングバスケット用セパレーター１の第１実施形態について、図１を用いて、以下に説明する。
【００１９】
第１実施形態の本発明のショッピングバスケット用セパレーター１は、図１（ａ）に示すように、ショッピングバスケットＢの収納部Ｓの深さよりも浅い位置に底部３を有する載置部２と、ショッピングバスケットＢの開口端Ｅに引っ掛けることで当該載置部２を前記収納部Ｓ内に保持するための２つの掛止部５，５とを備えており、ショッピングバスケットＢの収納部Ｓを所定の高さで２段に仕切ることができる。
【００２０】
前記載置部２は、商品を載置するための底部３と、底部３と一体に形成され前記底部３の周端からショッピングバスケットＢの開口端Ｅに向かって延びる延在部４とから構成されている。
【００２１】
前記底部３は、前記収納部Ｓの全体を所定の高さで下の収納部Ｓ１および上の収納部Ｓ２に仕切る広さを有している。そして、当該底部３の一部には、開口部３ａが形成されている。開口部３ａには、所定の回動軸３ｂまわりに回動して、当該開口部３ａを開放可能な可動式蓋部３ｃが設けられている。
【００２２】
可動式蓋部３ｃは、図１（ｂ）に示すように、下の収納部Ｓ１に収納されている商品に下方から押し上げられる、若しくは、購買者などが上から引き上げることで、回動軸３ｂまわりに最大１８０度まで回動して当該開口部３ａを開放することができる。
【００２３】
そして、前記掛止部５，５は、図１（ａ）に示すように、前記延在部４の所定位置に少なくとも１つ、好ましくは２つ以上突出して形成された平板状の突起であり、ショッピングバスケットＢの開口端Ｅに当該平板状の突起をのせることでショッピングバスケット用セパレーター１をショッピングバスケットＢの収納部Ｓに保持するものである。
【００２４】
また、前記掛止部５，５には、前記掛止部５，５の端部からショッピングバスケットＢの外側に延在する把持部６，６が一体で形成されている。これにより、載置部２に商品を収納した状態で、ショッピングバスケットＢからショッピングバスケット用セパレーター１を容易に着脱することができる。
【００２５】
このような、本発明のショッピングバスケット用セパレーター１においては、軽い商品や柔らかい商品を載置部２に載置して上の収納部Ｓ２に収納し、重い商品や硬い商品を下の収納部Ｓ１に収納することで、ショッピングバスケットＢの収納部Ｓ内を容易に分別整理することができる。
【００２６】
さらに、図１（ｂ）に示すように、例えば、ペットボトル等の高さのある商品を収納する際に、当該可動式蓋部３ｂを回動させて開口部３ａを開放し、下の収納部Ｓ１から上の収納部Ｓ２に亘って商品を収納することができるので、ショッピングバスケットＢの収納部Ｓ内を効果的に利用して商品を分別収納することが可能となる。
【００２７】
本発明のショッピングバスケット用セパレーター１の第２実施形態について、図２を用いて説明する。
【００２８】
第２実施形態の本発明のショッピングバスケット用セパレーター１は、図２（ａ）に示すように、延在部４がショッピングバスケットＢの開口内側全周に沿うように形成されており、当該延在部４の下方内周の一部には、延在部４の下方端部から数センチメートル離間した位置に固定式底部３ｄが一体形成されて設けられている。
【００２９】
そして、当該延在部４の下方端の固定式底部３ｄよりも端部側に位置する内側面には、溝部４ａが全周に亘って形成されており、対向する溝部４ａにそれぞれ係合して当該溝部４ａに沿って摺動可能なスライド式底部３ｅが設けられている。当該スライド式底部３ｅは、溝部４ａに沿って摺動させて、固定式底部３ｄの下方に収納したり、固定式底部３ｄと重ならない位置にズラして配置することで、載置部２の底部３の広さを調整することができる。
【００３０】
このような、第２実施形態の本発明のショッピングバスケット用セパレーター１においては、軽い商品および柔らかい商品の数に応じて底部３の面積を調整して、ショッピングバスケットＢの収納部Ｓ内に商品を効率よく用いることを可能とする。
【００３１】
なお、スライド式底部３ｅは、複数枚のスライド板から構成されていてもよく、例えば、図２（ｂ）に示すように、第１スライド板３ｅ１および第２スライド板３ｅ２を備える態様が挙げられる。この時、延在部４の下方端の固定式底部３ｄよりも端部側に位置する内面には、第１スライド板３ｅ１を摺動可能に係合させるための第１溝部４ａ１が形成され、当該第１溝部４ａ１よりも端部側には、第２スライド板３ｅ２を摺動可能に係合させるための第２溝部４ａ２が形成されていることが好ましい。
【００３２】
このように、スライド式底部３ｅを複数枚のスライド板から構成することにより、より柔軟に上の収納部Ｓ２の収納容量を調整することができるので、収納部Ｓを効率よく用いて商品の分別整理を行うことを可能とする。
【００３３】
実際に第２実施形態の本発明のショッピングバスケット用セパレーター１をショッピングセンターに適用する場合には、売り場の入り口においては、第１スライド板３ｅ１および第２スライド板３ｅ２を完全に固定式底部３ｄの下面に収納して開口部３ａを開いた状態で配置しておくことにより、購買者がショッピングバスケットＢに本発明のショッピングバスケット用セパレーター１を装着した際に、当該開口部３ａから重い商品や硬い商品を下の収納部Ｓ２へ、軽い商品や柔らかい商品を上の収納部Ｓ１に容易に分別収納することができる。
【００３４】
そして、精算所においては、本発明のショッピングバスケット用セパレーター１を第１スライド板３ｅ１および第２スライド板３ｅ２を摺動させて開口部３ａを閉じた状態で予め精算カウンターに配置しておくことにより、精算を済ませた軽い商品や柔らかい商品を直ちに底部３に載置することができるので、全ての商品の精算が終了した際に、軽い商品や柔らかい商品を精算カウンターから精算済みショッピングバスケット上にまとめて一回で移動させればよいので、極めて効率よく精算作業を行うことを可能とする。
【００３５】
本発明のショッピングバスケット用セパレーター１は、上記の第１および第２実施形態に限定されるものではなく、発明の特徴を損なわない範囲において、種々の変更が可能である。
【符号の説明】
【００３６】
１  ショッピングバスケット用セパレーター
２  載置部
３  底部
３ａ  開口部
３ｂ  回動軸
３ｃ  可動式蓋部
３ｄ  固定式底部
３ｅ  スライド式底部
３ｅ１  第１スライド板
３ｅ２  第２スライド板
４  延在部
５  掛止部
６  把持部
Ｂ  ショッピングバスケット
Ｓ  収納部
Ｓ１  下の収納部
Ｓ２  上の収納部
Ｅ  開口端
【図１】
2018144859.tif 000003
【図２】
2018144859.tif 000004
【図３】
2018144859.tif 000005
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
収納部の上部に開口を備えているショッピングバスケットと、
底部と当該底部の周端からショッピングバスケットの開口端に向かって延びる延在部とを備えた載置部であって、ショッピングバスケットの収納部よりも浅い深さを有する載置部と、前記ショッピングバスケットの開口端に引っ掛けることで前記載置部を前記収納部内に着脱自在に保持するための掛止部とを備えているショッピングバスケット用セパレーターと
を有するショッピングバスケットとショッピングバスケット用セパレーターであって、
前記ショッピングバスケット用セパレーターは、前記載置部の底部の一部には、開口部が形成されており、前記開口部には、下方から押し上げられることで前記開口部を開放可能な可動式蓋部が設けられており、
前記ショッピングバスケットと底部の開口部が開閉自在なショッピングバスケット用セパレーターとの関係は、ショッピングの際に、
前記ショッピングバスケットとショッピングバスケット用セパレーターとを別体にしてそれぞれに物品を単独収納する目的で使用する別体利用状態と、
前記ショッピングバスケットにショッピングバスケット用セパレーターを載置して両者へ物品を分別収納する目的で使用する載置利用状態とを使用目的に応じて選択して利用できる関係にある
ことを特徴とするショッピングバスケットとショッピングバスケット用セパレーター。
【請求項２】
収納部の上部に開口を備えているショッピングバスケットと、
底部と当該底部の周端からショッピングバスケットの開口端に向かって延びる延在部とを備えた載置部であって、ショッピングバスケットの収納部よりも浅い深さを有する載置部と、前記ショッピングバスケットの開口端に引っ掛けることで前記載置部を前記収納部内に着脱自在に保持するための掛止部とを備えているショッピングバスケット用セパレーターと
を有するショッピングバスケットとショッピングバスケット用セパレーターであって、
前記ショッピングバスケット用セパレーターは、前記載置部の底部が、固定式底部およびスライド式底部から構成されており、前記スライド式底部が、前記固定式底部の下面に収納可能に形成されており、
前記ショッピングバスケットと底部の一部が開閉自在なショッピングバスケット用セパレーターとの関係は、ショッピングの際に、
前記ショッピングバスケットとショッピングバスケット用セパレーターとを別体にしてそれぞれに物品を単独収納する目的で使用する別体利用状態と、
前記ショッピングバスケットにショッピングバスケット用セパレーターを載置して両者へ物品を分別収納する目的で使用する載置利用状態とを使用目的に応じて選択して利用できる関係にある
ことを特徴とするショッピングバスケットとショッピングバスケット用セパレーター。
【手続補正３】
【補正対象書類名】明細書
【補正対象項目名】０００１
【補正方法】変更
【補正の内容】
【０００１】
この発明は、ショッピングバスケットとショッピングバスケット用セパレーターに関する。
【手続補正４】
【補正対象書類名】明細書
【補正対象項目名】００１０
【補正方法】変更
【補正の内容】
【００１０】
そこで、本発明においては、ショッピングバスケット内において容易に重い商品および硬い商品と、軽い商品および柔らかい商品とを分別することが可能であり、かつ、分別した商品をいつでも容易に出し入れすることが可能なショッピングバスケットとショッピングバスケット用セパレーターを提供することを目的とする。
【手続補正５】
【補正対象書類名】明細書
【補正対象項目名】００１１
【補正方法】変更
【補正の内容】
【００１１】
本発明の第１の態様のショッピングバスケットとショッピングバスケット用セパレーターは、収納部の上部に開口を備えているショッピングバスケットと、底部と当該底部の周端からショッピングバスケットの開口端に向かって延びる延在部とを備えた載置部であって、ショッピングバスケットの収納部よりも浅い深さを有する載置部と、前記ショッピングバスケットの開口端に引っ掛けることで前記載置部を前記収納部内に着脱自在に保持するための掛止部とを備えているショッピングバスケット用セパレーターとを有するショッピングバスケットとショッピングバスケット用セパレーターであって、前記ショッピングバスケット用セパレーターは、前記載置部の底部の一部には、開口部が形成されており、前記開口部には、下方から押し上げられることで前記開口部を開放可能な可動式蓋部が設けられており、前記ショッピングバスケットと底部の開口部が開閉自在なショッピングバスケット用セパレーターとの関係は、ショッピングの際に、前記ショッピングバスケットとショッピングバスケット用セパレーターとを別体にしてそれぞれに物品を単独収納する目的で使用する別体利用状態と、前記ショッピングバスケットにショッピングバスケット用セパレーターを載置して両者へ物品を分別収納する目的で使用する載置利用状態とを使用目的に応じて選択して利用できる関係にあることを特徴とする。
【手続補正６】
【補正対象書類名】明細書
【補正対象項目名】００１２
【補正方法】変更
【補正の内容】
【００１２】
このような、本発明の第１の態様のショッピングバスケットとショッピングバスケット用セパレーターによれば、両者を載置利用状態にすると、収納部を上下段に仕切って商品を容易に分別整理することができるとともに、可動式蓋部を回動させて開口部を開閉させることにより、下の収納部に商品を容易に出し入れすることが可能であり、さらに、可動式蓋部を商品で押し上げることによって、長さや高さのある商品を立てたままでショッピングバスケット内に収納することを可能とする。両者を別体利用状態にすると、例えば、ショッピングバスケットに重量物を収納し、ショッピングバスケット用セパレーターに軽量物を収納したりして両者を単独に用いることができる。特に、精算時においては、ショッピングバスケットとショッピングバスケット用セパレーターとに物品の性質に応じて分別して載置して、その後の物品の袋詰め作業を容易にかつ迅速に実行することができる。
【手続補正７】
【補正対象書類名】明細書
【補正対象項目名】００１３
【補正方法】変更
【補正の内容】
【００１３】
本発明の第２の態様のショッピングバスケットとショッピングバスケット用セパレーターは、収納部の上部に開口を備えているショッピングバスケットと、底部と当該底部の周端からショッピングバスケットの開口端に向かって延びる延在部とを備えた載置部であって、ショッピングバスケットの収納部よりも浅い深さを有する載置部と、前記ショッピングバスケットの開口端に引っ掛けることで前記載置部を前記収納部内に着脱自在に保持するための掛止部とを備えているショッピングバスケット用セパレーターとを有するショッピングバスケットとショッピングバスケット用セパレーターであって、前記ショッピングバスケット用セパレーターは、前記載置部の底部が、固定式底部およびスライド式底部から構成されており、前記スライド式底部が、前記固定式底部の下面に収納可能に形成されており、前記ショッピングバスケットと底部の一部が開閉自在なショッピングバスケット用セパレーターとの関係は、ショッピングの際に、前記ショッピングバスケットとショッピングバスケット用セパレーターとを別体にしてそれぞれに物品を単独収納する目的で使用する別体利用状態と、前記ショッピングバスケットにショッピングバスケット用セパレーターを載置して両者へ物品を分別収納する目的で使用する載置利用状態を使用目的に応じて選択して利用できる関係にあることを特徴とする。
【手続補正８】
【補正対象書類名】明細書
【補正対象項目名】００１４
【補正方法】変更
【補正の内容】
【００１４】
このような、本発明の第２の態様のショッピングバスケットとショッピングバスケット用セパレーターによれば、両者を載置利用状態にすると、スライド式底部を固定式底部の下面から移動させることで底部の広さを調整することができるので、軽い商品や柔らかい商品の量に応じて、ショッピングバスケット用セパレーターの載置部の広さを調整することを可能とする。両者を別体利用状態にすると、例えば、ショッピングバスケットに重量物を収納し、ショッピングバスケット用セパレーターに軽量物を収納したりして両者を単独に用いることができる。特に、精算時においては、ショッピングバスケットとショッピングバスケット用セパレーターとに物品の性質に応じて分別して載置して、その後の物品の袋詰め作業を容易にかつ迅速に実行することができる。
【手続補正９】
【補正対象書類名】明細書
【補正対象項目名】００１５
【補正方法】変更
【補正の内容】
【００１５】
本発明のショッピングバスケットとショッピングバスケット用セパレーターによれば、ショッピングバスケット内において容易に重い商品および硬い商品と、軽い商品および柔らかい商品とを分別することが可能であり、かつ、分別した商品をいつでも容易に出し入れすることが可能なショッピングバスケットとショッピングバスケット用セパレーターを提供することができる。
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
収納部の上部に開口を備えているショッピングバスケットと、
底部と当該底部の周端からショッピングバスケットの開口端に向かって延びる延在部とを備えた載置部であって、ショッピングバスケットの収納部よりも浅い深さを有する載置部と、前記ショッピングバスケットの開口端に引っ掛けることで前記載置部を前記収納部内に着脱自在に保持するための掛止部とを備えているショッピングバスケット用セパレーターと
を有するショッピングバスケットとショッピングバスケット用セパレーターであって、
前記ショッピングバスケット用セパレーターは、前記載置部の底部の一部には、開口部が形成されており、前記開口部には、下方から押し上げられることで前記開口部を最大１８０度まで回動して開放可能な平板状の可動式蓋部が設けられており、
前記ショッピングバスケットと底部の開口部が開閉自在なショッピングバスケット用セパレーターとの関係は、ショッピングの際に、
前記ショッピングバスケットとショッピングバスケット用セパレーターとを別体にしてそれぞれに物品を単独収納する目的で使用する別体利用状態と、
前記ショッピングバスケットにショッピングバスケット用セパレーターを載置して両者へ物品を分別収納する目的で使用する載置利用状態とを使用目的に応じて選択して利用できる関係にある
ことを特徴とするショッピングバスケットとショッピングバスケット用セパレーター。
【請求項２】
収納部の上部に開口を備えているショッピングバスケットと、
底部と当該底部の周端からショッピングバスケットの開口端に向かって延びる延在部とを備えた載置部であって、ショッピングバスケットの収納部よりも浅い深さを有する載置部と、前記ショッピングバスケットの開口端に引っ掛けることで前記載置部を前記収納部内に着脱自在に保持するための掛止部とを備えているショッピングバスケット用セパレーターと
を有するショッピングバスケットとショッピングバスケット用セパレーターであって、
前記ショッピングバスケット用セパレーターは、前記載置部の底部が、固定式底部およびスライド式底部から構成されており、上下複数枚のスライド板によって形成されている前記スライド式底部が、前記固定式底部の下面に収納可能に形成されており、
前記ショッピングバスケットと底部の一部が開閉自在なショッピングバスケット用セパレーターとの関係は、ショッピングの際に、
前記ショッピングバスケットとショッピングバスケット用セパレーターとを別体にしてそれぞれに物品を単独収納する目的で使用する別体利用状態と、
前記ショッピングバスケットにショッピングバスケット用セパレーターを載置して両者へ物品を分別収納する目的で使用する載置利用状態とを使用目的に応じて選択して利用できる関係にある
ことを特徴とするショッピングバスケットとショッピングバスケット用セパレーター。
【手続補正２】
【補正対象書類名】明細書
【補正対象項目名】００１１
【補正方法】変更
【補正の内容】
【００１１】
本発明の第１の態様のショッピングバスケットとショッピングバスケット用セパレーターは、収納部の上部に開口を備えているショッピングバスケットと、底部と当該底部の周端からショッピングバスケットの開口端に向かって延びる延在部とを備えた載置部であって、ショッピングバスケットの収納部よりも浅い深さを有する載置部と、前記ショッピングバスケットの開口端に引っ掛けることで前記載置部を前記収納部内に着脱自在に保持するための掛止部とを備えているショッピングバスケット用セパレーターとを有するショッピングバスケットとショッピングバスケット用セパレーターであって、前記ショッピングバスケット用セパレーターは、前記載置部の底部の一部には、開口部が形成されており、前記開口部には、下方から押し上げられることで前記開口部を最大１８０度まで回動して開放可能な平板状の可動式蓋部が設けられており、前記ショッピングバスケットと底部の開口部が開閉自在なショッピングバスケット用セパレーターとの関係は、ショッピングの際に、前記ショッピングバスケットとショッピングバスケット用セパレーターとを別体にしてそれぞれに物品を単独収納する目的で使用する別体利用状態と、前記ショッピングバスケットにショッピングバスケット用セパレーターを載置して両者へ物品を分別収納する目的で使用する載置利用状態とを使用目的に応じて選択して利用できる関係にあることを特徴とする。
【手続補正３】
【補正対象書類名】明細書
【補正対象項目名】００１２
【補正方法】変更
【補正の内容】
【００１２】
このような、本発明の第１の態様のショッピングバスケットとショッピングバスケット用セパレーターによれば、両者を載置利用状態にすると、収納部を上下段に仕切って商品を容易に分別整理することができるとともに、可動式蓋部を回動させて開口部を開閉させることにより、下の収納部に商品を容易に出し入れすることが可能であり、さらに、可動式蓋部を商品で押し上げることによって、長さや高さのある商品を立てたままでショッピングバスケット内に収納することを可能とする。さらに、可動式蓋部を１８０度回動させて開口部を開放させると、開口部に対して全周囲方向より物品を出し入れすることができ、利用勝手に優れた使用状態を提供することができるし、１８０度開いた平板状の可動式蓋部の上に商品を載せて収納することができるので更に利用勝手に優れた使用状態を提供することができる。両者を別体利用状態にすると、例えば、ショッピングバスケットに重量物を収納し、ショッピングバスケット用セパレーターに軽量物を収納したりして両者を単独に用いることができる。特に、精算時においては、ショッピングバスケットとショッピングバスケット用セパレーターとに物品の性質に応じて分別して載置して、その後の物品の袋詰め作業を容易にかつ迅速に実行することができる。
【手続補正４】
【補正対象書類名】明細書
【補正対象項目名】００１３
【補正方法】変更
【補正の内容】
【００１３】
本発明の第２の態様のショッピングバスケットとショッピングバスケット用セパレーターは、収納部の上部に開口を備えているショッピングバスケットと、底部と当該底部の周端からショッピングバスケットの開口端に向かって延びる延在部とを備えた載置部であって、ショッピングバスケットの収納部よりも浅い深さを有する載置部と、前記ショッピングバスケットの開口端に引っ掛けることで前記載置部を前記収納部内に着脱自在に保持するための掛止部とを備えているショッピングバスケット用セパレーターとを有するショッピングバスケットとショッピングバスケット用セパレーターであって、前記ショッピングバスケット用セパレーターは、前記載置部の底部が、固定式底部およびスライド式底部から構成されており、上下複数枚のスライド板によって形成されている前記スライド式底部が、前記固定式底部の下面に収納可能に形成されており、前記ショッピングバスケットと底部の一部が開閉自在なショッピングバスケット用セパレーターとの関係は、ショッピングの際に、前記ショッピングバスケットとショッピングバスケット用セパレーターとを別体にしてそれぞれに物品を単独収納する目的で使用する別体利用状態と、前記ショッピングバスケットにショッピングバスケット用セパレーターを載置して両者へ物品を分別収納する目的で使用する載置利用状態を使用目的に応じて選択して利用できる関係にあることを特徴とする。
【手続補正５】
【補正対象書類名】明細書
【補正対象項目名】００１４
【補正方法】変更
【補正の内容】
【００１４】
このような、本発明の第２の態様のショッピングバスケットとショッピングバスケット用セパレーターによれば、両者を載置利用状態にすると、上下複数枚のスライド板によって形成されているスライド式底部を固定式底部の下面から移動させることで底部の広さを広い調整範囲をもって自由に調整することができるので、軽い商品や柔らかい商品の量に応じて、ショッピングバスケット用セパレーターの載置部の広さをより柔軟に広い調整範囲をもって自由に調整することを可能とする。両者を別体利用状態にすると、例えば、ショッピングバスケットに重量物を収納し、ショッピングバスケット用セパレーターに軽量物を収納したりして両者を単独に用いることができる。特に、精算時においては、ショッピングバスケットとショッピングバスケット用セパレーターとに物品の性質に応じて分別して載置して、その後の物品の袋詰め作業を容易にかつ迅速に実行することができる。